(57)【要約】【課題】  通過チャッカーへの遊技球の通過の事実を遊技者に明確に知らしめることにより、通過チャッカーへの遊技球の通過による遊技進行の変化を遊技者に感じせしめ、パチンコ機の興趣をより高めること。【解決手段】  遊技球が通過可能なゲート部４６と、ゲート部４６を通過する遊技球を検知する通過球検知部５４とを備えたパチンコ機３の通過チャッカー４０において、通過球検知部５４の検知により点灯・点滅する表示器６８ａ，６８ｂを、ゲート部４６の左右にそれぞれ設けた。    【選択図】    図２
2008279067.tif 000002
【特許請求の範囲】
【請求項１】
遊技球が通過可能なゲート部と、前記ゲート部を通過する遊技球を検知する通過球検知部とを備えたパチンコ機の通過チャッカーであって、前記通過球検知部の検知により点灯する表示器を備えたことを特徴とするパチンコ機の通過チャッカー。
【請求項２】
前記通過球検知部の検知により点滅する表示器を備えたことを特徴とする請求項１に記載のパチンコ機の通過チャッカー。
【請求項３】
遊技球の検知後少なくとも０．５秒以上の時間において点灯表示させることを特徴とする請求項１または請求項２に記載のパチンコ機の通過チャッカー。
【請求項４】
少なくとも前記ゲート部の左右に前記表示器がそれぞれ配置されるように設けることを特徴とする請求項１から請求項３のいずれかに記載のパチンコ機の通過チャッカー。
【請求項５】
左右の表示器が交互に点滅表示されるように設けられることを特徴とする請求項４に記載のパチンコ機の通過チャッカー。
【発明の詳細な説明】
【技術分野】
【０００１】
本発明はパチンコ機の通過チャッカーに関する。
【背景技術】
【０００２】
パチンコ機には、球通路に配置される通過球検知センサによって遊技球を検知する通過チャッカーが設けられている例が多い。この通過チャッカーが遊技球を検知すると、例えば、普通図柄表示装置に表示される普通図柄の変動が開始され、当たりが抽選された場合には、普通図柄表示装置に所定の普通図柄の組み合わせが表示されて特定入賞口が所定時間開放され、遊技球が特定入賞口に入賞しやすくなるように設けられている。一方、特定入賞口に遊技球が入賞すると、特別図柄表示装置に表示される特別図柄の変動が開始され、当たりの場合には特別図柄表示装置に所定の特別図柄の組み合わせが表示されて大入賞口が開放されて大当たり状態となるように設けられている（例えば、特許文献１参照。）。
【０００３】
【特許文献１】特開２００７−８９８０７公報（図８）
【発明の開示】
【発明が解決しようとする課題】
【０００４】
前述したようなパチンコ機においては、遊技者の注目は、大当たり状態に直接つながる特定入賞口への遊技球の入賞や、特別図柄の変動に向けられがちとなる。よって、通過チャッカーの配置場所にも左右されるが、通過チャッカーへの遊技球の入賞に遊技者が注目し難く、場合によっては、遊技者が通過チャッカーへの入賞の事実を知らないまま遊技が進められることが多かった。したがって、通過チャッカーに入賞するか否かという遊技の興趣を与えて遊技進行に変化を与えるという通過チャッカーの意義が失われていた。
【０００５】
本発明は上記した従来のパチンコ機の通過チャッカーの問題点を解消するものであり、通過チャッカーへの遊技球の通過の事実を遊技者に明確に知らしめることにより、遊技進行の変化を遊技者に感じせしめ、パチンコ機の興趣をより高めることを目的とする。
【課題を解決するための手段】
【０００６】
以上の課題を解決するために、本発明の採った手段を以下に説明する。本発明のパチンコ機の通過チャッカーは、遊技球が通過可能なゲート部と、前記ゲート部を通過する遊技球を検知する通過球検知部とを備えたパチンコ機の通過チャッカーであって、前記通過球検知部の検知により点灯する表示器を備えたことを特徴とするパチンコ機の通過チャッカー（請求項１）である。
【０００７】
このように通過チャッカー自体に表示器を設けて遊技球が通過した場合に点灯させることにより、遊技球が通過チャッカーに入賞したことを遊技者に対して明確に示すことができる。また、通過チャッカー自体に表示器を備えることとすることにより、このような入賞を明確化する手段として、遊技盤に別途表示器用の取付穴を設けたりする必要無しに、従来の通過チャッカーから本発明の通過チャッカーに変更するだけで足りる。「表示器」としては、点灯ランプやＬＥＤなどパチンコ機に従来用いられている表示器を広く用いることができる。
【０００８】
また、表示器を点滅させるようにすることにより、遊技球の入賞を遊技者に対してより一層明確に示すことができる（請求項２）
【０００９】
また、遊技球の検知後少なくとも０．５秒以上の時間において点灯表示させることにより、遊技球の入賞を遊技者に対してより一層明確に示すことができる（請求項３）。
【００１０】
また、少なくともゲート部の左右に表示器がそれぞれ配置されるように設けることにより、遊技球の入賞を遊技者に対してより一層明確に示すことができる（請求項４）。この態様においては、左右の表示器が交互に点滅表示されるように設けると、一層明確に示すことができる（請求項５）。
【発明の効果】
【００１１】
本発明は上記のように通過チャッカー自体に表示器を備え、遊技者に対して通過チャッカーに入賞したことを明確に示すことができるので、パチンコ機の興趣をより一層高めることができる。
【発明を実施するための最良の形態】
【００１２】
次に、本発明のパチンコ機の通過チャッカーの実施の形態を図を参考にして詳細に説明する。図１に示すように、本発明に係る通過チャッカー４０は、パチンコ機３の遊技盤６上に取付固定されて、遊技領域１３内に弾発された遊技球が通過することにより、普通図柄表示装置４２の変動を開始させると共に、始動入賞口１６の開閉翼片１７ａ，１７ｂを所定時間開放させるための「当たり」の当否の抽選を開始させるために始動口として用いられるパチンコ機３の役物の一種である。
【００１３】
［パチンコ機全体の構成］
パチンコ機３の機枠１は、パチンコ機３の本体２を遊技ホールの設置場所（いわゆる「島設備」）に固定するためのものであり縦長長方形状の木製の枠部材から構成されている。機枠１の前面には、機枠１に対してヒンジ機構によって開閉自在に取付固定された前面枠４が設けられている。
【００１４】
また前面枠４のさらに前面側上部には、ガラス扉枠５が開閉自在に取付固定されている。ガラス扉枠５の背面側には遊技盤６が配設されており、ガラス扉枠５の内側に取り付けられたガラス板を透過して遊技盤６を視認することができる。また、前面枠４の前面側下部には、球受け皿８などが備え付けられた前面扉７が開閉自在に取付固定されている。
【００１５】
遊技盤６の前面には、遊技盤６の周辺付近に全体がほぼ円形状に配設されたガイドレール１２が取り付けられており、このガイドレール１２に囲まれた区画が遊技領域１３とされている。遊技領域１３のほぼ中央には３つの数字又は記号などの図柄が変動表示される表示部１５を有する特別図柄表示装置１４が配設されている。  
【００１６】
また、特別図柄表示装置１４の下方には、遊技球が入賞することによって表示部１５の複数の図柄を変動させる始動入賞口１６が設けられている。始動入賞口１６には、起立状態または逆ハ字状態に可変する一対の開閉翼片１７ａ，１７ｂが設けられている。開閉翼片１７ａ，１７ｂは、通常時には起立状態とされ、一方、特別の遊技状態の場合には逆ハ字状態に可変されて、始動入賞口１６への遊技球の入賞を通常時よりも容易となるように設けられている。
【００１７】
始動入賞口１６の下方には大型の可変大入賞口装置１８が配設されている。可変大入賞口装置１８には正面視横長矩形状の開口部１９が備えられており、この開口部１９に対して、開口部１９下辺を中心軸として前方側に傾動可能な開閉扉２０が取り付けられている。この開閉扉２０は、ゲーム進行が通常時の普通遊技状態においては閉じられており、一方、いわゆる「大当たり」などの特別遊技状態に移行した場合には開放されて、遊技球が多数入賞可能となるように構成されている。
【００１８】
遊技盤６の前面の始動入賞口１６の左右には、本発明に係る通過チャッカー４０がそれぞれ取り付けられている。詳細は後述するが、これらの通過チャッカー４０のいずれかに遊技球が通過すると通過チャッカー４０下部に設けられた普通図柄表示装置４２の数字が変動するように設けられており、さらに、普通図柄表示装置４２の数字が所定の数字となる場合に始動入賞口１６に備えられた開閉翼片１７ａ，１７ｂが逆ハ字状に開放されるように構成されている。遊技盤６には、これらの他に一般入賞口３４や風車３６、ならびに多数の釘などが取り付けられている。
【００１９】
また、上記した前面扉７には、遊技球を発射装置に供給するための球受け皿８の他に、球受け皿８の余剰球を貯留するための余剰球受け皿９や、発射装置を駆動して遊技球を遊技領域１３に向けて発射するための操作ハンドル１０が取り付けられている。
【００２０】
遊技領域１３に打ち込まれた遊技球が始動入賞口１６に入賞すると、特別図柄表示装置１４における表示部１５の複数の図柄が変動を開始し、一定時間経過後にその可変表示が停止する。そして、その停止時における表示の組み合わせが特定の組み合わせ（例えば「７，７，７」）に揃うと特別遊技状態となり、可変大入賞口装置１８の開閉扉２０を所定時間（例えば３０秒、又は打球が１０個入るまでの間）開き続け、一定の条件の下に閉じた後再び開成する動作が繰り返し行なわれ、多くの入賞球を発生させて遊技者にとって多大な利益が付与されるように構成されている。また、遊技中に通過チャッカー４０に遊技球が通過すると普通図柄表示装置４２の数字が変動を開始し、一定時間経過後に停止する。この際に、表示された数字が特定の数字（例えば「３」または「７」）になると、始動入賞口１６の開閉翼片１７ａ，１７ｂが一定時間（例えば３秒）の間、逆ハの字状に傾動し、始動入賞口１６へ遊技球が入賞しやすくして遊技の興趣を高めるように構成されている。
【００２１】
［通過チャッカーの構成］
次いで、本発明に係る通過チャッカー４０について詳細を説明する。図２及び図３に示すように、通過チャッカー４０は、後方側が遊技盤６に開口された取付穴に挿通固定される本体部４４と、この本体部４４の正面側に突設されたゲート部４６とを備えている。
【００２２】
ゲート部４６は、後述する通過球検知装置５２の検知部５４が挿嵌可能な形状に形成されており、内部に、検知部５４が挿嵌される収容部４８が形成されている。また、ゲート部４６の正面視右側には背面側に突設されて通過球検知装置５２を係止固定する係止部５０が設けられている。係止部５０の先端には、内側に向けて突設された係止突起５１が形成されており、この係止突起５２が通過球検知装置５２の背面部に係止されることにより、通過球検知装置５２がゲート部の収容部４８内に収容固定されるように構成されている。
【００２３】
通過球検知装置５２の検知部５４の内側には、遊技球が通過可能な内径に形成された通過口５６が設けられている。図示は省略するが、通過口５６の内側には、公知の発光部、受光部が設けられており、さらに、これらの発光部、受光部と対向する位置には、発光部から発せられる光を反射する反射部が設けられている。そして、遊技球が通過口５６を通過する際に、発光部からの光を遊技球が遮ることにより受光部が遊技球の通過を検知する。なお、発光部は赤外線の発光ダイオード、受光部は赤外線のフォトトランジスタ、反射部は赤外線の光を反射する鏡面シールなど、公知の要素を用いればよい。
本体部４４には、その正面側に設けられると共に遊技盤６に直接ねじ止め固定される取付基板５８と、この取付基板５８と所定間隔をおいて背面側に平行に取付基板５８に装着可能な固定板６０が備えられている。
【００２４】
図２に示すように、取付基板５８には、ゲート部４６の左右に、後述する表示器６８ａ，６８ｂの正面側に配設されることとなる開口部６２ａ，６２ｂが設けられている。また、ゲート部４６の下部には、後述する普通図柄表示装置４２の正面側に配設されることとなる開口部６３が設けられている。
【００２５】
そして、これらの開口部６２ａ，６２ｂ，６３にそれぞれ透過部６５ａ，６５ｂ，６５ｃを組み込み露呈するようにして、半透明の透過部材６４が、取付基板５８の背面側から取り付けられている。透過部材６４は、図３に示すように、取付基板５８の背面側に取り付けられるとともに、固定板６０によって取付基板５８との間に固定されている。
【００２６】
図３及び図４に示すように、固定板６０は上部の左右にそれぞれ延設された腕部６６ａ，６６ｂを備えており、この腕部６６ａ，６６ｂの正面側に、それぞれＬＥＤを備えた表示器６８ａ，６８ｂが取り付けられている。また、固定板６０の本体の正面側には、ドットマトリックスを備えた普通図柄表示装置４２が備えられている。上記したように、表示器６８ａ，６８ｂ及び普通図柄表示装置４２の正面側には、透過部材６４が配設されており、表示器６８ａ，６８ｂ及び普通図柄表示装置４２が点灯した場合には、透過部６５ａ，６５ｂ，６５ｃから、点灯状態を視認することができるように構成されている。また、固定板６０には表示器６８ａ，６８ｂ及び普通図柄表示装置４２のピン７２を挿通させる挿通孔がそれぞれ設けられている。
【００２７】
このように構成されたパチンコ機３の通過チャッカー４０は、遊技球が入賞することによって、以下のように動作する。遊技球がゲート部４６を通過すると、検知部５４の検知信号によって普通図柄装置４２の図柄の変動表示が開始されるとともに、主制御基盤の中央演算装置（ＣＰＵ）によって当たりの抽選が行われる。この抽選と同時に、遊技球の通過を知らしめるために、表示器６８ａ，６８ｂが一定時間（例えば０．５秒）点灯する。表示器６８ａ，６８ｂの点灯により、遊技者は、通過チャッカー４０への入賞を容易に知ることができる。次いで、普通図柄表示装置４２が変動開始後所定時間経過した後に、抽選の結果により図柄が所定の数字において停止される。当たりの場合には特定の数字（例えば「３」または「７」）が表示されて、始動入賞口１６の開閉翼片１７ａ，１７ｂが一定時間（例えば３秒）の間、逆ハの字状に傾動し、始動入賞口１６へ遊技球が入賞しやすくなる。
【００２８】
また、併せて普通図柄表示装置４２を通過チャッカー４０に備えているので、入賞時には通過チャッカー４０から視線移動することなく変動表示をそのまま確認できるので、より遊技者の興趣を高めることができる。
【００２９】
本発明は上記した実施の形態に限られるものではなく、本発明の趣旨の範囲内で種々の変更が可能である。例えば、上記の例では、通過チャッカー４０への入賞時には、表示器６８ａ，６８ｂが単に所定時間点灯するものとされているが、これに限らず、例えば、点滅表示をするものとしても良い。また、左右の表示器６８ａ，６８ｂを交互に点滅させることとしても良い。このように構成することにより、通過チャッカー４０への入賞を遊技者がより一層明確に知ることができ、遊技への興趣を一層高めることができる。
【図面の簡単な説明】
【００３０】
【図１】本発明の通過チャッカーを用いたパチンコ機の正面図である。
【図２】通過チャッカーの正面側斜視図である。
【図３】通過チャッカーの背面側斜視図である。
【図４】通過チャッカーの側面図である。
【符号の説明】
【００３１】
１；機枠、２；本体、３；パチンコ機、４；前面枠、５；ガラス扉枠、６；遊技盤、７；前面扉、８；球受け皿、９；余剰球受け皿、１０；操作ハンドル、１２；ガイドレール、１３；遊技領域、１４；特別図柄表示装置、１５；表示部、１６；始動入賞口、１７ａ，１７ｂ；開閉翼片、１８；可変大入賞口装置、１９；開口部、２０；開閉扉、３４；一般入賞口、３６；風車、４０；通過チャッカー、４２；普通図柄表示装置、４４；本体部、４６；ゲート部、４８；収容部、５０；係止部、５１；係止突起、５２；通過球検知装置、５４；検知部、５６；通過口、５８；取付基板、６０；固定板、６２ａ，６２ｂ；開口部、６３；開口部、６４；透過部材、６５ａ，６５ｂ，６５ｃ；透過部、６６ａ，６６ｂ；腕部、６８ａ，６８ｂ；表示器、７２；ピン。
【図１】
2008279067.tif 000003
【図２】
2008279067.tif 000004
【図３】
2008279067.tif 000005
【図４】
2008279067.tif 000006